(57)【特許請求の範囲】
【請求項１】
浴室内の空気が吸い込まれる吸気口と、
前記吸気口から吸い込まれた浴室の空気が前記浴室内に吹き出される浴室内循環吹出口と前記吸気口とを連通する循環風路と、
前記吸気口から吸い込まれた浴室の空気が前記浴室の外部に吹き出される浴室外吹出口と、前記吸気口とを連通する換気風路と、
前記吸気口から前記浴室の空気を吸い込み、前記吸気口から吸い込んだ前記浴室の空気を前記浴室内循環吹出口または浴室外吹出口へ導く送風部と、
前記循環風路を塞ぐ第１位置から前記換気風路を塞ぐ第２位置までの範囲の位置に、回転動作によって開度が調整されて前記浴室外吹出口を開閉する回転ダンパーと、
前記回転ダンパーの開度を変化させるモータと、
前記送風部の運転モードの切り替えに連動して、既定の複数の異なる電圧値から前記送風部の運転モードに対応する印加電圧値を選択して設定する電圧設定部と、
前記電圧設定部で設定された印加電圧値に従って電圧を前記モータに印加して前記モータの駆動を制御するモータ駆動制御部と、
を備え、
前記複数の異なる電圧値は、
前記回転ダンパーを前記第１位置から前記第２位置までの範囲の位置に回転動作させるための第１トルクを前記モータに発生させる第１電圧値と、
前記第１電圧値よりも低い電圧値であって、前記回転ダンパーを前記第２位置に保持するための第２トルクを前記モータに発生させる第２電圧値と、
を含み、
前記電圧設定部は、前記モータへの通電時間を積算した積算通電時間に基づいて前記第１電圧値および前記第２電圧値のうち少なくとも一方を増加させて設定すること、
を特徴とする浴室乾燥機。
【請求項２】
前記電圧設定部は、前記送風部が運転している状態で前記回転ダンパーを前記第１位置に保持する場合に、前記印加電圧値を０Ｖに設定すること、
を特徴とする請求項１に記載の浴室乾燥機。
【請求項３】
前記電圧設定部は、前記送風部が運転していない状態で前記回転ダンパーを前記第２位置に保持する場合に前記印加電圧値を前記第２電圧値に設定すること、
を特徴とする請求項１または２に記載の浴室乾燥機。
【請求項４】
前記電圧設定部は、前記送風部が運転している状態で前記回転ダンパーを前記第２位置に保持する場合に前記印加電圧値を前記第２電圧値に設定すること、
を特徴とする請求項１から３のいずれか１つに記載の浴室乾燥機。
【請求項５】
前記電圧設定部は、前記印加電圧値を前記第１電圧値に設定して、前記回転ダンパーが前記第１位置から前記第２位置まで到達した後、または前記第２位置から前記第１位置まで到達した後、既定の時間の経過後に前記印加電圧値を変更すること、
を特徴とする請求項１から４のいずれか１つに記載の浴室乾燥機。
【請求項６】
前記浴室内循環吹出口から吹き出される空気を加熱するヒーターと、
前記ヒーターへの通電を制御するリレー部と、
を備え、
前記第１電圧値および前記第２電圧値のうち少なくとも一方が、前記リレー部をオンにする電圧値と同じ電圧値であること、
を特徴とする請求項１から５のいずれか１つに記載の浴室乾燥機。
【請求項７】
前記モータがステッピングモータであること、
を特徴とする請求項１から６のいずれか１つに記載の浴室乾燥機。
【発明の詳細な説明】
【技術分野】
【０００１】
本発明は、風路を切り替えるダンパーを備えた浴室乾燥機に関する。
【背景技術】
【０００２】
浴室乾燥機においては、風路を切り替えるダンパーを回転移動させるためにステッピングモータを使用している。たとえば特許文献１を参照されたい。
【先行技術文献】
【特許文献】
【０００３】
【特許文献１】特許第５６５５３６８号公報
【発明の概要】
【発明が解決しようとする課題】
【０００４】
浴室乾燥機のダンパーは、暖房、乾燥、換気時の各運転モードにおいて風路を切り替えるだけでなく、浴室乾燥機の運転停止時における浴室乾燥機への外風の侵入を抑えるシャッターの機能も兼ね備えることが好ましい。シャッターとして機能させる場合には、ステッピングモータに電圧が印加されて、ダンパーが、換気風路を閉じる位置で保持される。ダンパーが換気風路を閉じる位置で保持される時にステッピングモータにダンパーの駆動時と同じ電圧が印加される場合、ステッピングモータにおいては浴室乾燥機の運転時と同等の発熱が生じ、熱によってステッピングモータの内部のグリスおよび樹脂が劣化し、ステッピングモータの寿命が短くなるおそれがあった。【０００５】
本発明は、上記に鑑みてなされたものであって、モータの発熱を低減することで浴室乾燥機の長寿命化が可能な浴室乾燥機を得ることを目的とする。
【課題を解決するための手段】
【０００６】
上述した課題を解決し、目的を達成するために、本発明にかかる浴室乾燥機は、浴室内の空気が吸い込まれる吸気口と、吸気口から吸い込まれた浴室の空気が浴室内に吹き出される浴室内循環吹出口と吸気口とを連通する循環風路と、吸気口から吸い込まれた浴室の空気が浴室の外部に吹き出される浴室外吹出口と、吸気口とを連通する換気風路と、吸気口から浴室の空気を吸い込み、吸気口から吸い込んだ浴室の空気を浴室内循環吹出口または浴室外吹出口へ導く送風部とを備える。また、浴室乾燥機は、循環風路を塞ぐ第１位置から換気風路を塞ぐ第２位置までの範囲の位置に、回転動作によって開度が調整されて浴室外吹出口を開閉する回転ダンパーと、回転ダンパーの開度を変化させるモータと、送風部の運転モードの切り替えに連動して、既定の複数の異なる電圧値から送風部の運転モードに対応する印加電圧値を選択して設定する電圧設定部と、電圧設定部で設定された印加電圧値に従って電圧をモータに印加してモータの駆動を制御するモータ駆動制御部と、を備える。複数の異なる電圧値は、回転ダンパーを第１位置から第２位置までの範囲の位置に回転動作させるための第１トルクをモータに発生させる第１電圧値と、第１電圧値よりも低い電圧値であって、回転ダンパーを第２位置に保持するための第２トルクをモータに発生させる第２電圧値とを含む。電圧設定部は、モータへの通電時間を積算した積算通電時間に基づいて第１電圧値および第２電圧値のうち少なくとも一方を増加させて設定する。
【発明の効果】
【０００７】
本発明にかかる浴室乾燥機は、モータの発熱を低減することで浴室乾燥機の長寿命化が可能な浴室乾燥機が得られる、という効果を奏する。
【図面の簡単な説明】
【０００８】
【図１】本発明の実施の形態１にかかる浴室乾燥機の本体の構成を示す断面図
【図２】本発明の実施の形態１にかかる浴室乾燥機の本体の構成を示す図であり、側面の一部を切り欠いてステッピングモータを示す図
【図３】本発明の実施の形態１にかかる浴室乾燥機の設置例を示す模式図
【図４】本発明の実施の形態１にかかる浴室乾燥機を浴室側となる下側から見た外観を示す斜視図
【図５】本発明の実施の形態１にかかる浴室乾燥機の機能構成を示す図
【図６】本発明の実施の形態１における処理回路のハードウェア構成の一例を示す図
【図７】本発明の実施の形態１にかかる浴室乾燥機の換気運転時のダンパーの位置を示す断面図
【図８】本発明の実施の形態１にかかる浴室乾燥機の暖房運転時および運転停止時のダンパーの位置を示す断面図
【図９】本発明の実施の形態１にかかる浴室乾燥機の乾燥運転時のダンパーの位置を示す断面図
【図１０】本発明の実施の形態１にかかる浴室乾燥機の運転停止時から換気運転への運転モードの切り替え時における回転ダンパーの位置とステッピングモータに印加する印加電圧値の一例を示す図
【図１１】本発明の実施の形態１にかかる浴室乾燥機の運転停止時から換気運転への運転モードの切り替え時におけるステッピングモータの制御手順を示すフローチャート
【図１２】本発明の実施の形態１にかかる浴室乾燥機の換気運転から運転停止状態への運転モードの切り替え時における回転ダンパーの位置とステッピングモータに印加する印加電圧値の一例を示す図
【図１３】本発明の実施の形態１にかかる浴室乾燥機の換気運転から運転停止状態への運転モードの切り替え時におけるステッピングモータの制御手順を示すフローチャート
【図１４】本発明の実施の形態１にかかる浴室乾燥機において経年劣化に対応してステッピングモータに印加する印加電圧値の設定値の変更例を示す図
【発明を実施するための形態】
【０００９】
以下に、本発明の実施の形態にかかる浴室乾燥機を図面に基づいて詳細に説明する。なお、この実施の形態によりこの発明が限定されるものではない。
【００１０】
実施の形態１．
図１は、本発明の実施の形態１にかかる浴室乾燥機１００の本体２１の構成を示す断面図である。図２は、本発明の実施の形態１にかかる浴室乾燥機１００の本体２１の構成を示す図であり、側面の一部を切り欠いてステッピングモータ１３を示す図である。図３は、本発明の実施の形態１にかかる浴室乾燥機１００の設置例を示す模式図である。図４は、本発明の実施の形態１にかかる浴室乾燥機１００を浴室５２側となる下側から見た外観を示す斜視図である。図５は、本発明の実施の形態１にかかる浴室乾燥機１００の機能構成を示す図である。なお、以下における上下方向は、浴室乾燥機１００が浴室５２に設置された場合の上下方向である。
【００１１】
本実施の形態１にかかる浴室乾燥機１００は、浴室５２の天井面５３に設置される天井据付型の浴室乾燥機である。浴室乾燥機１００は、通信線２３によって通信可能に接続された本体２１とコントロールスイッチ２２とを備える。本体２１は、浴室内の天井に設置された本体ケース１の内部に、送風部であるシロッコファン２と、シロッコファン２の駆動源であるファンモータ７とを備える。本体ケース１は、浴室５２の空気を本体ケース１内へ取り入れるための吸気口１０と、シロッコファン２から吹き出される空気を浴室５２内に吹き出す浴室内循環吹出口８とが、浴室乾燥機１００が設置された際の下向きに、すなわち浴室５２側となる下部に設けられている。ファンモータ７によりシロッコファン２を回転させることによって、吸気口１０から浴室５２の空気を本体ケース１内に吸い込み、本体ケース１内に吹き出す空気流を発生させて、換気風および循環風が作られる。
【００１２】
本体ケース１においてシロッコファン２から送風される空気流の風路の上部には、排気ダクト接続部５が設けられている。排気ダクト接続部５の側面には、屋外に連通した排気ダクト５１へ接続される浴室外吹出口５ａが設けられている。
【００１３】
浴室乾燥機１００は、本体ケース１内に形成された、浴室の換気、乾燥および暖房を行うための循環風路６１と、浴室の換気を行なうための換気風路６２とを有している。循環風路６１は、浴室内循環吹出口８への風路を画定する底板である循環オリフィス１５と本体ケース１とによって形成され、シロッコファン２から吹き出される空気を第１の吹出口である浴室内循環吹出口８へ進行させる第１の風路である。換気風路６２は、シロッコファン２により送風された空気流を循環風路６１から第２の吹出口である浴室外吹出口５ａへ進行させる第２の風路である。浴室外吹出口５ａには、シロッコファン２から送風される空気流が、換気接続口１６を通して循環風路６１から空気が流れる。
【００１４】
また、浴室乾燥機１００は、第１の風路を通って浴室内循環吹出口８から吹き出される空気である循環風を加熱するヒーター４と、シロッコファン２に吸い込まれる空気中の埃を取り除くフィルター６とを備える。ヒーター４は、本体ケース１の内部における浴室内循環吹出口８の上部に配置されている。ヒーター４は、後述する電源部３１から供給される制御電源によって駆動する。また、ヒーター４への制御電源の通電は、リレー部１７によって制御される。フィルター６は、シロッコファン２における空気の流入側である、シロッコファン２と吸気口１０との間に配置されている。
【００１５】
また、浴室乾燥機１００は、シロッコファン２から送風される空気流を分岐させて本体ケース１の内部における風路の変更を行うための回転ダンパー３を、浴室外吹出口５ａおよび浴室内循環吹出口８の上流側に備える。回転ダンパー３は、循環風路６１内のシロッコファン２とヒーター４との間の換気接続口１６の下側に配置され、換気接続口１６側に凸の形状を有する板状に形成されている。
【００１６】
回転ダンパー３は、基端部に設けられたダンパー回転軸１４を中心として回転する回転ダンパーであり、複数の歯車を組み合わせた減速機を介してダンパー回転軸１４に接続された駆動部であるステッピングモータ１３を回転させることにより開度が変化し、位置決めされる。回転ダンパー３の開度が調整されることにより、第１の風路の開度と第２の風路の開度とが調整される。また、回転ダンパー３は、循環風路６１および換気風路６２の一部を構成する。
【００１７】
回転ダンパー３は、上方向には、本体ケース１の天板１ａに接触して換気接続口１６を閉じる位置まで回動可能である。また、回転ダンパー３は、下方向には、循環オリフィス１５に接触して循環風路６１の下流側を閉じ、循環風路６１の上流側を換気接続口１６および浴室外吹出口５ａに連通させる位置まで回動可能である。
【００１８】
浴室乾燥機１００における浴室５２側となる下側は、意匠パネル１１で覆われている。意匠パネル１１における浴室内循環吹出口８の下側には、浴室内循環吹出口８から吹き出された空気を浴室５２内に吹き出すための浴室内パネル循環吹出口１２が設けられている。
【００１９】
ファンモータ７の上側には、浴室乾燥機１００の制御および電源に関わる構成部が制御基板９に配置されている。浴室乾燥機１００は、電源に関わる構成部として、電源部３１を備える。電源部３１は、外部電源５４である商用交流電源と電源線５６により接続されている。電源部３１は、外部電源５４からブレーカ５５を経由して供給される交流電源から、浴室乾燥機１００の各構成部を動作させるための制御電源を生成し、浴室乾燥機１００の本体２１の各部に制御電源を供給する。なお、図５においては、電源部３１と各構成部を接続する一部の電源線の図示を省略している。
【００２０】
浴室乾燥機１００は、浴室乾燥機１００の制御に関わる構成部として、浴室乾燥機１００の全体の制御を行う制御部である第１制御部３２と、ステッピングモータ１３を駆動するための電圧値を設定する電圧設定部３３と、ステッピングモータ１３の駆動を制御するモータ駆動制御部３４と、浴室乾燥機１００の制御に関わる情報を記憶する第１記憶部３５と、コントロールスイッチ２２との間で双方向通信を行う第１通信部３６と、を備える。第１記憶部３５は、浴室乾燥機１００への通電が断電された場合でも、記憶された情報が消去されないように、不揮発性の記憶装置が使用される。
【００２１】
第１制御部３２は、回転ダンパー３の制御を含む、浴室乾燥機１００内の全体の制御を行う制御部である。第１制御部３２は、コントロールスイッチ２２から送信された浴室乾燥機１００の運転の指示情報に従って、浴室乾燥機１００の運転および停止を制御する。第１制御部３２は、浴室乾燥機１００の運転の制御である、浴室５２の空気を屋外に排出する換気運転と、浴室５２の空気を循環させて浴室５２に温風を送風する暖房運転と、浴室５２への温風の送風および浴室５２内の空気の排出を同時に行う乾燥運転とを制御する。第１制御部３２は、コントロールスイッチ２２から送信された運転の指示情報に従って、シロッコファン２の運転モードの切り替えおよびヒーター４の駆動を制御して浴室乾燥機１００の運転を制御する。
【００２２】
電圧設定部３３は、第１制御部３２によるシロッコファン２の運転モードの切り替えに連動して、シロッコファン２の複数の運転モードに対応する既定の電圧値である複数の異なる電圧値から、ステッピングモータ１３の駆動を制御するためにステッピングモータ１３に印加する印加電圧値を選択して電圧設定部３３に設定する。複数の異なる電圧値の候補は、換気運転と暖房運転と乾燥運転と運転停止時とに対して個別に決定され、あらかじめ電圧設定部３３に記憶されている。なお、電圧設定部３３は、ステッピングモータ１３を駆動するための電圧値を第１記憶部３５に設定してもよい。
【００２３】
モータ駆動制御部３４は、電圧設定部３３で設定された電圧値とステッピングモータ１３の駆動角度を検出するパルス発振器から出力されるパルス信号に基づいてステッピングモータ１３に電圧を印加するための機能を有する。
【００２４】
第１制御部３２は、例えば、図６に示したハードウェア構成の処理回路として実現される。図６は、本発明の実施の形態１における処理回路のハードウェア構成の一例を示す図である。第１制御部３２が図６に示す処理回路により実現される場合、第１制御部３２は、プロセッサ１０１がメモリ１０２に記憶されたプログラムを実行することにより、実現される。また、複数のプロセッサおよび複数のメモリが連携して上記機能を実現してもよい。また、第１制御部３２の機能のうちの一部を電子回路として実装し、他の部分をプロセッサ１０１およびメモリ１０２を用いて実現するようにしてもよい。
【００２５】
また、電圧設定部３３とモータ駆動制御部３４と第１通信部３６との各々を、同様にプロセッサ１０１がメモリ１０２に記憶されたプログラムを実行することにより、実現されるように構成してもよい。また、複数のプロセッサおよび複数のメモリが連携して電圧設定部３３とモータ駆動制御部３４と第１通信部３６との各々の機能を実現してもよい。また、電圧設定部３３とモータ駆動制御部３４と第１通信部３６との各々の機能のうちの一部を電子回路として実装し、他の部分をプロセッサ１０１およびメモリ１０２を用いて実現するようにしてもよい。
【００２６】
また、電圧設定部３３とモータ駆動制御部３４と第１通信部３６とのうちの１つの構成部を実現するためのプロセッサおよびメモリは、第１制御部３２と電圧設定部３３とモータ駆動制御部３４と第１通信部３６とのうちの他の構成部を実現するプロセッサおよびメモリと同一であってもよいし、別のプロセッサおよびメモリであってもよい。
【００２７】
浴室乾燥機１００を浴室５２の天井面５３に配設する際には、図３に示すように、浴室５２の天井面５３に設けられた図示しない開口に本体ケース１を浴室５２側から挿入され、本体ケース１の下面の外周に設けられたフランジ１ｂが天井面５３に押し当てられることで、本体ケース１が天井面５３と平行に配置される。そして、フランジ１ｂが浴室５２の天井面５３にねじ締結されることで、本体ケース１が天井面５３に固定される。そして、浴室外吹出口５ａが、天井裏に設けられた排気ダクト５１に接続される。また、制御基板９は、脱衣室の壁に設置されたコントロールスイッチ２２と通信線２３によって接続される。
【００２８】
浴室乾燥機１００は、通信線２３を介して制御基板９に接続されたコントロールスイッチ２２を有する。コントロールスイッチ２２は、運転モード、運転強度、タイマーといった浴室乾燥機１００の運転に関する各種の運転指令を受け付けて、第１制御部３２に対して送信する。コントロールスイッチ２２は、主たる構成として、通信線２３を介して本体２１との間で通信を行って情報の送受信を行う第２通信部４１と、設定操作を受け付ける操作部４２と、浴室乾燥機１００の運転状態といった各種情報を表示する表示部４３と、浴室乾燥機１００の設定操作に関する情報を記憶する第２記憶部４４と、コントロールスイッチ２２の動作を制御する第２制御部４５と、を有している。第２通信部４１と操作部４２と表示部４３と第２記憶部４４と第２制御部４５とは、互いに情報を送受信可能とされている。
【００２９】
第２通信部４１は、第１通信部３６との間で双方向通信を行う。第２通信部４１は、浴室乾燥機１００の運転を遠隔制御するための、運転の指示情報を第２制御部４５から受信する。第２通信部４１は、受信した指示情報を浴室乾燥機１００の第１通信部３６に送信する。また、第２通信部４１は、浴室乾燥機１００の第１通信部３６から各種情報を受信する。第２通信部４１は、受信した情報を第２制御部４５に送信する。
【００３０】
操作部４２は、浴室乾燥機１００の運転を遠隔制御するためのインタフェースであり、ユーザーから浴室乾燥機１００の運転についての指示を受け付ける。操作部４２では、浴室乾燥機１００の運転開始、浴室乾燥機１００の運転停止、浴室乾燥機１００の運転モードの選択、運転強度の設定、タイマーの設定、フィルターメンテナンスサインの表示解除といった、浴室乾燥機１００における運転に係わる様々な機能をユーザーが任意に選択できるように構成されている。操作部４２は、受け付けた各種情報を第２制御部４５に送信する。
【００３１】
表示部４３は、操作部４２が受け付けた各種情報、およびフィルターメンテナンスサインといった各種情報を表示してユーザーに通知する。
【００３２】
第２記憶部４４は、浴室乾燥機１００への通電が断電された場合でも、記憶された情報が消去されないように、不揮発性の記憶装置が使用される。
【００３３】
第２制御部４５は、操作部４２から受信した指示情報に基づいてコントロールスイッチ２２の動作を制御する。第２制御部４５は、操作部４２から受信した情報を、第２通信部４１を介して浴室乾燥機１００の第１通信部３６に送信する。また、第２制御部４５は、各種情報を表示部４３に表示させる制御を行う。第２制御部４５は、コントロールスイッチ２２の制御に関する情報および第１記憶部３５に記憶された情報を第２記憶部４４に記憶させる制御を行う。
【００３４】
第２制御部４５は、例えば、図６に示したハードウェア構成の処理回路として実現される。第２制御部４５が図６に示す処理回路により実現される場合、第２制御部４５は、プロセッサ１０１がメモリ１０２に記憶されたプログラムを実行することにより、実現される。また、複数のプロセッサおよび複数のメモリが連携して上記機能を実現してもよい。また、第２制御部４５の機能のうちの一部を電子回路として実装し、他の部分をプロセッサ１０１およびメモリ１０２を用いて実現するようにしてもよい。
【００３５】
また、第２通信部４１を、同様にプロセッサ１０１がメモリ１０２に記憶されたプログラムを実行することにより、実現されるように構成してもよい。また、複数のプロセッサおよび複数のメモリが連携して第２通信部４１の機能を実現してもよい。また、第２通信部４１の各々の機能のうちの一部を電子回路として実装し、他の部分をプロセッサ１０１およびメモリ１０２を用いて実現するようにしてもよい。また、第２通信部４１を実現するためのプロセッサおよびメモリは、第２制御部４５を実現するプロセッサおよびメモリと同一であってもよいし、別のプロセッサおよびメモリであってもよい。
【００３６】
つぎに、図７から図９を参照して実施の形態１にかかる浴室乾燥機１００の換気運転、暖房運転および乾燥運転について説明する。図７は、本発明の実施の形態１にかかる浴室乾燥機１００の換気運転時のダンパーの位置を示す断面図である。図８は、本発明の実施の形態１にかかる浴室乾燥機１００の暖房運転時および運転停止時のダンパーの位置を示す断面図である。図９は、本発明の実施の形態１にかかる浴室乾燥機１００の乾燥運転時のダンパーの位置を示す断面図である。
【００３７】
浴室乾燥機１００の換気運転時の回転ダンパー３の位置は、図７に示すように回転ダンパー３が回転移動可能な可動域の最下部の位置であって、回転ダンパー３の下面が循環オリフィス１５に接触して循環風路６１を塞ぐ第１位置である。すなわち、換気運転では、回転ダンパー３の下面が循環オリフィス１５に接触する位置まで回転ダンパー３が下方向に回転し、循環風路６１の下流側、すなわちヒーター４側が塞がれる。そして、循環風路６１が、換気接続口１６を通して換気風路６２へ繋がる。
【００３８】
したがって、換気運転時は、吸気口１０から吸い込まれた空気が、シロッコファン２、循環風路６１、換気接続口１６、換気風路６２および浴室外吹出口５ａを通る風路が形成される。この結果、浴室乾燥機１００が設置されている浴室５２の空気は、循環風路６１を通って換気風路６２内を流れ、浴室外吹出口５ａから排気ダクト５１へ排気され、浴室５２が換気される。
【００３９】
回転ダンパー３が第１位置にある場合には、回転ダンパー３の自重と、循環風路６１から換気風路６２へ向かって流れる空気流の風圧とにより、回転ダンパー３が循環オリフィス１５側に押さえつけられる。このため、ステッピングモータ１３の励磁によって回転ダンパー３の位置の固定を行わなくても、回転ダンパー３の位置が第１位置に固定される。したがって、ステッピングモータ１３のトルクによって回転ダンパー３を第１位置に保持する必要がない。
【００４０】
一方、浴室乾燥機１００の運転停止時および暖房運転時の回転ダンパー３の位置は、図８に示すように回転ダンパー３の上面が本体ケース１の天板１ａに接触して換気風路６２を塞ぐ第２位置となる。すなわち、運転停止時および暖房運転時では、回転ダンパー３の上面が本体ケース１の天板１ａに接触する位置まで回転ダンパー３が上方向に回転し、換気接続口１６が塞がれる。そして、浴室内循環吹出口８へ続く循環風路６１の下流のみに空気が流入可能となる。また、暖房運転時には、ヒーター４に通電される。
【００４１】
暖房運転時では、シロッコファン２から吹き出されて循環風路６１に流入した浴室５２の空気は、ヒーター４を通って浴室５２内に吹き出される。ヒーター４を通る空気は加熱され、温風として浴室５２内へ吹出され、浴室５２内の暖房を行うことができる。
【００４２】
回転ダンパー３が第２位置にある場合には、回転ダンパー３を可動域の最上部の位置に持ち上げて保持する必要がある。また、回転ダンパー３は、浴室乾燥機１００の運転停止時には、排気ダクト５１および浴室外吹出口５ａを介した外気が室内に侵入することを防止するためのシャッターとしての役割がある。このため、排気ダクト５１および浴室外吹出口５ａを介して浴室乾燥機１００内に流れてくる外風の風圧に耐えられるように、すなわち、回転ダンパー３が外風に押されて動かないように、ステッピングモータ１３の励磁を行って、ステッピングモータ１３のトルクによって回転ダンパー３を第２位置に保持する必要がある。
【００４３】
また、浴室乾燥機１００の乾燥運転時の回転ダンパー３の位置は、図９に示すように第１位置と第２位置との間のダンパー位置であり、回転ダンパー３が循環オリフィス１５および本体ケース１の天板１ａのいずれにも接触しない既定の第３位置となる。このとき、回転ダンパー３は、循環オリフィス１５と本体ケース１の天板１ａとの中間位置よりも天板１ａに近い位置に位置決めされる。これにより、換気接続口１６から、ヒーター４が配置された循環風路６１の下流側と、換気風路６２と、の両方の風路へ空気が流入可能となる。すなわち、回転ダンパー３が第３位置にある場合には、シロッコファン２から吹き出された空気流は、浴室５２の空気を排気ダクト５１へ排気する排気側の風路と、浴室５２の空気を浴室５２へ循環させる循環側の風路と、に振り分けられる。また、暖房運転時には、ヒーター４に通電される。
【００４４】
浴室乾燥機１００の乾燥運転時に回転ダンパー３の位置が既定の第３位置から変化すると、排気側の風路と循環側の風路とに振り分ける空気流の風量比が変化したり、回転ダンパー３に振動が発生したりするおそれがある。このため、シロッコファン２から吹き出された空気流の風圧を受けても回転ダンパー３の位置がずれないように、ステッピングモータ１３の励磁を行って、ステッピングモータ１３のトルクによって回転ダンパー３を第３位置に保持する必要がある。
【００４５】
つぎに、浴室乾燥機１００における運転停止状態から換気運転への運転モードの切り替え時のステッピングモータ１３の制御について説明する。図１０は、本発明の実施の形態１にかかる浴室乾燥機１００の運転停止時から換気運転への運転モードの切り替え時における回転ダンパー３の位置とステッピングモータ１３に印加する印加電圧値の一例を示す図である。図１０においては、左側から時系列順に回転ダンパー３の位置および印加電圧値を示している。
【００４６】
浴室乾燥機１００では、運転モードの切り替えに連動して、上述した第１位置から第２位置までの範囲の位置に回転ダンパー３を回転動作させるためにステッピングモータ１３を駆動する場合には、ステッピングモータ１３へ既定の第１電圧値である電圧Ａの電圧が印加されてステッピングモータ１３の励磁が行われる。第１電圧値は、第１位置から第２位置までの範囲の位置に回転ダンパー３を回転動作させるための第１トルクをステッピングモータ１３に発生させる印加電圧値である。
【００４７】
また、浴室乾燥機１００では、運転停止時および暖房運転時には、第１電圧値である電圧Ａよりも低い電圧値であって、回転ダンパー３を第２位置に保持するための既定の第２電圧値である電圧Ｂの電圧が印加されてステッピングモータ１３の励磁が行われる。第２電圧値は、回転ダンパー３の自重によって回転ダンパー３が動くことがなく、また排気ダクト５１および浴室外吹出口５ａを介して浴室乾燥機１００内に流れてくる外風の風圧に対して回転ダンパー３が動くことがなく、回転ダンパー３を第２位置に保持することが可能な第２トルクをステッピングモータ１３に発生させることが可能な範囲で低い印加電圧値とすることができる。また、浴室乾燥機１００では、暖房運転時において励磁電圧を電圧Ａよりも低くすることで上記と同様の効果が得られる。
【００４８】
すなわち、浴室乾燥機１００では、運転停止時および暖房運転時にはステッピングモータ１３を駆動するための励磁電圧を、回転ダンパー３を第１位置と第２位置との間で回転動作させる場合の第１電圧値である電圧Ａよりも低くする。これにより、浴室乾燥機１００は、回転ダンパー３を回転動作させるための励磁電圧と同じ励磁電圧を浴室乾燥機１００の運転停止時および暖房運転時にもステッピングモータ１３に印加する場合と比べて、運転停止時および暖房運転時のステッピングモータ１３の消費電力を削減することができる。
【００４９】
また、浴室乾燥機１００では、換気運転時には、ステッピングモータ１３への電圧印加を行わない。すなわち換気運転時における印加電圧値は０Ｖに設定される。換気運転時には、回転ダンパー３が可動域の最下部に位置し、回転ダンパー３の自重と換気風路６２を流れる空気流の風圧とで回転ダンパー３が循環オリフィス１５に押さえつけられる。このため、回転ダンパー３を第１位置に保持するためのステッピングモータ１３の励磁は不要である。
【００５０】
浴室乾燥機１００は、換気運転時にステッピングモータ１３の励磁を行わないことで、ステッピングモータ１３の発熱量を低減し、ステッピングモータ１３の温度上昇を抑制することができる。これにより、ステッピングモータ１３での発熱に起因したステッピングモータ１３の内部のグリスおよび樹脂製のギアといった構成部の劣化を抑制でき、ステッピングモータ１３の寿命を延ばすことができる。また、浴室乾燥機１００は、換気運転時にステッピングモータ１３の励磁を行わないことで、ステッピングモータ１３の消費電力を削減することができる。
【００５１】
図１１は、本発明の実施の形態１にかかる浴室乾燥機１００の運転停止時から換気運転への運転モードの切り替え時におけるステッピングモータ１３の制御手順を示すフローチャートである。
【００５２】
浴室乾燥機１００の運転停止時においては、ステッピングモータ１３に印加する印加電圧値は、回転ダンパー３を第２位置に保持するための既定の第２電圧値である電圧Ｂに設定されている。したがって、電圧Ｂの電圧がステッピングモータ１３に印加されてステッピングモータ１３の励磁が行われている。
【００５３】
ここで、第１制御部３２は、換気運転への運転モードの切り替え指示情報をコントロールスイッチ２２から受信すると、シロッコファン２の運転モードを換気運転へ切り替える制御を行うとともに、換気運転への運転モードの切り替え指示情報を電圧設定部３３に送信する。
【００５４】
電圧設定部３３は、ステップＳ１０において換気運転への運転モードの切り替え指示情報を受信すると、ステップＳ２０において、第１制御部３２におけるシロッコファン２の運転モードの切り替えに連動して、ステッピングモータ１３に印加する印加電圧値を電圧Ｂから電圧Ａに変更して設定する。電圧設定部３３は、設定した印加電圧値である電圧Ａの情報をモータ駆動制御部３４に送信する。
【００５５】
モータ駆動制御部３４は、電圧Ａの情報を受信すると、ステップＳ３０において、電圧Ａの電圧をステッピングモータ１３に印加してステッピングモータ１３を駆動し、回転ダンパー３を第１位置に移動させる。そして、回転ダンパー３が第１位置から第２位置への移動位置にある間において、電圧Ａの電圧がステッピングモータ１３に印加される。
【００５６】
つぎに、電圧設定部３３は、回転ダンパー３の位置が第１位置となった後に、既定時間が経過したか否かをステップＳ４０において判定する。モータ駆動制御部３４は、パルス発振器から出力されるパルス信号に基づいて、回転ダンパー３の位置が第１位置となったことを判定できる。
【００５７】
既定時間が経過しておらず、ステップＳ４０においてＮｏの場合は、ステップＳ２０に戻る。すなわち、電圧設定部３３は、ステッピングモータ１３に印加する印加電圧値の設定を電圧Ａのままとし、電圧Ａの情報をモータ駆動制御部３４に送信する。そして、モータ駆動制御部３４は、電圧Ａの電圧をステッピングモータ１３に印加し続ける。すなわち、モータ駆動制御部３４は、回転ダンパー３を確実に循環オリフィス１５に突き当てるために、回転ダンパー３が第１位置となった後も、ステッピングモータ１３に印加する印加電圧値の設定が変更されるまで、既定のパルス数の分だけ余分に電圧Ａの電圧をステッピングモータ１３に印加する。
【００５８】
回転ダンパー３が確実に循環オリフィス１５に突き当てられていない場合には、回転ダンパー３と循環オリフィス１５との間に隙間が空き、換気運転時の送風によって回転ダンパー３が振動し、異音が発生するおそれがある。上述したように回転ダンパー３を第１位置に保持するためのステッピングモータ１３の励磁は不要である。しかしながら、回転ダンパー３の位置が第１位置となった後も一定時間が経過するまで電圧Ａの電圧をステッピングモータ１３に印加し続けてステッピングモータ１３を励磁することで、確実に回転ダンパー３を循環オリフィス１５に突き当てた状態とすることができる。これにより、ステッピングモータ１３に印加する印加電圧を変更する際に、確実に回転ダンパー３の位置出しを行ったうえでステッピングモータ１３の励磁電圧を変更することができ、異音の発生を防止することができる。
【００５９】
既定時間が経過しており、ステップＳ４０においてＹｅｓの場合は、ステップＳ５０において電圧設定部３３は、ステッピングモータ１３に印加する印加電圧値の設定を電圧Ａから０Ｖに変更する。電圧設定部３３は、設定した印加電圧値である０Ｖの情報をモータ駆動制御部３４に送信する。
【００６０】
モータ駆動制御部３４は、印加電圧値である０Ｖの情報を受信すると、ステップＳ６０においてステッピングモータ１３への電圧の印加を停止する。上述したように、回転ダンパー３を第１位置に保持するためのステッピングモータ１３の励磁は不要である。以上の処理が実施されることにより、浴室乾燥機１００の運転停止時から換気運転への運転モードの切り替え時におけるステッピングモータ１３の一連の制御が終了する。なお、ステップＳ４０は省略してもよい。
【００６１】
つぎに、浴室乾燥機１００における換気運転から運転停止状態への運転モードの切り替え時のステッピングモータ１３の制御について説明する。図１２は、本発明の実施の形態１にかかる浴室乾燥機１００の換気運転から運転停止状態への運転モードの切り替え時における回転ダンパー３の位置とステッピングモータ１３に印加する印加電圧値の一例を示す図である。図１２においては、左側から時系列順に回転ダンパー３の位置および印加電圧値を示している。図１３は、本発明の実施の形態１にかかる浴室乾燥機１００の換気運転から運転停止状態への運転モードの切り替え時におけるステッピングモータ１３の制御手順を示すフローチャートである。
【００６２】
換気運転中は回転ダンパー３が可動域の最下部である第１位置にあり、回転ダンパー３の自重と、循環風路６１から換気風路６２へ向かって流れる空気流の風圧とにより、回転ダンパー３が循環オリフィス１５側に押さえつけられる。このため、ステッピングモータ１３の励磁によるステッピングモータ１３の位置決めによって回転ダンパー３の位置の固定を行わなくても、回転ダンパー３の位置が第１位置に固定される。したがって、ステッピングモータ１３の励磁は行う必要がないためステッピングモータ１３への電圧の印加は行わないため、印加電圧値の設定は０Ｖとされている。
【００６３】
この状態で、第１制御部３２は、運転停止状態への運転モードの切り替え指示情報をコントロールスイッチ２２から受信すると、シロッコファン２の運転モードを運転停止状態へ切り替える制御を行うとともに、運転停止状態への運転モードの切り替え指示情報を電圧設定部３３に送信する。
【００６４】
電圧設定部３３は、ステップＳ１１０において運転停止状態への運転モードの切り替え指示情報を受信すると、ステップＳ１２０において、第１制御部３２におけるシロッコファン２の運転モードの切り替えに連動して、ステッピングモータ１３に印加する印加電圧値を印加電圧０Ｖから電圧Ａに変更して設定する。電圧設定部３３は、設定した印加電圧値である電圧Ａの情報をモータ駆動制御部３４に送信する。
【００６５】
モータ駆動制御部３４は、電圧Ａの情報を受信すると、ステップＳ１３０において、電圧Ａの電圧をステッピングモータ１３に印加してステッピングモータ１３を駆動し、回転ダンパー３を第２位置に移動させる。そして、回転ダンパー３が第１位置から第２位置への移動位置にある間において、電圧Ａの電圧がステッピングモータ１３に印加される。
【００６６】
つぎに、電圧設定部３３は、回転ダンパー３の位置が第２位置となった後に、既定時間が経過したか否かをステップＳ１４０において判定する。モータ駆動制御部３４は、パルス発振器から出力されるパルス信号に基づいて回転ダンパー３の位置が第２位置となったことを判定できる。
【００６７】
既定時間が経過しておらず、ステップＳ１４０においてＮｏの場合は、ステップＳ１２０に戻る。すなわち、電圧設定部３３は、ステッピングモータ１３に印加する印加電圧値の設定を電圧Ａのままとし、電圧Ａの情報をモータ駆動制御部３４に送信する。そして、モータ駆動制御部３４は、電圧Ａの電圧をステッピングモータ１３に印加し続ける。すなわち、モータ駆動制御部３４は、回転ダンパー３を確実に本体ケース１の天板１ａに突き当てるために、回転ダンパー３が第２位置となった後も、ステッピングモータ１３に印加する印加電圧値の設定が変更されるまで、既定のパルス数の分だけ余分に電圧Ａの電圧をステッピングモータ１３に印加する。
【００６８】
回転ダンパー３が確実に本体ケース１の天板１ａに突き当てられていない場合には、回転ダンパー３と本体ケース１の天板１ａとの間に隙間が空き、この後に暖房運転を行った時に送風によって回転ダンパー３が振動し、異音が発生するおそれがある。回転ダンパー３の位置が第２位置となった後も一定時間が経過するまで電圧Ａの電圧をステッピングモータ１３に印加し続けてステッピングモータ１３を励磁することで、確実に回転ダンパー３を本体ケース１の天板１ａに突き当てた状態とすることができる。これにより、ステッピングモータ１３に印加する印加電圧を変更する際に、確実に回転ダンパー３の位置出しを行ったうえでステッピングモータ１３の励磁電圧を変更でき、異音の発生を防止することができる。
【００６９】
既定時間が経過しており、ステップＳ１４０においてＹｅｓの場合は、ステップＳ１５０において電圧設定部３３は、ステッピングモータ１３に印加する印加電圧値の設定を電圧Ａから電圧Ｂに変更する。電圧設定部３３は、設定した印加電圧値である電圧Ｂの情報をモータ駆動制御部３４に送信する。
【００７０】
モータ駆動制御部３４は、印加電圧値である電圧Ｂの情報を受信すると、ステップＳ１６０において電圧Ｂの電圧をステッピングモータ１３に印加してステッピングモータ１３の励磁を行う。浴室乾燥機１００は、運転停止状態において電圧Ａよりも低い電圧である電圧Ｂの電圧でステッピングモータ１３の励磁を行うことで、回転ダンパー３を回転動作させるための電圧Ａの電圧を運転停止状態においてもステッピングモータ１３に印加する場合と比べて、運転停止時のステッピングモータ１３の消費電力を削減することができる。
【００７１】
また、浴室乾燥機１００は、運転停止状態において電圧Ａよりも低い電圧である電圧Ｂの電圧でステッピングモータ１３の励磁を行うことで、回転ダンパー３を回転動作させるための電圧Ａの電圧を運転停止状態においてもステッピングモータ１３に印加する場合と比べて、ステッピングモータ１３の発熱量を低減し、ステッピングモータ１３の温度上昇を抑制することができる。これにより、ステッピングモータ１３での発熱に起因したステッピングモータ１３の内部のグリスおよび樹脂製のギアといった構成部の劣化を抑制でき、ステッピングモータ１３の寿命を延ばすことができる。
【００７２】
以上の処理が実施されることにより、浴室乾燥機１００の換気運転から運転停止状態への運転モードの切り替え時におけるステッピングモータ１３の一連の制御が終了する。
【００７３】
また、回転ダンパー３の位置が運転停止状態と同じ第２位置である暖房運転に換気運転から運転モードが切り替えられる場合も、換気運転から運転停止状態への運転モードの切り替え時と同様の処理が行われ、上記と同様の効果が得られる。なお、暖房運転時には、ヒーター４がオンにされる。
【００７４】
また、電圧Ａまたは電圧Ｂのうち少なくとも一方が、リレー部１７をオンにする電圧値と同じ電圧値であってもよい。この場合は、電源部３１から供給する制御電源の種類を低減でき、電源部３１の処理が軽減される。なお、リレー部１７をオンにする電圧値は、電圧Ａおよび電圧Ｂとのどちらとも異なる印加電圧Ｃであってもよい。
【００７５】
上述した本実施の形態１にかかる浴室乾燥機１００は、回転ダンパー３が第２位置に位置している、浴室乾燥機１００の運転停止時および暖房運転時に、回転ダンパー３を第２位置に保持できる範囲でステッピングモータ１３の励磁電圧を、電圧Ａよりも低い電圧Ｂに下げる。これにより、浴室乾燥機１００は、ステッピングモータ１３での発熱量を低減し、ステッピングモータ１３の温度上昇を抑制することができる。この結果、浴室乾燥機１００は、ステッピングモータ１３での発熱に起因したステッピングモータ１３の内部のグリスおよび樹脂製のギアといった構成部の劣化を抑制でき、ステッピングモータ１３の長寿命化が可能である。また、浴室乾燥機１００は、運転停止時および暖房運転時において必要以上に大きな電圧をステッピングモータ１３に印加することなく、ステッピングモータ１３の消費電力を削減することができる。
【００７６】
また、上述した本実施の形態１にかかる浴室乾燥機１００は、回転ダンパー３が可動域の最下部である第１位置に位置している換気運転時には、印加電圧値を０Ｖに設定してステッピングモータ１３への電圧印加を行わない。これにより、浴室乾燥機１００は、ステッピングモータ１３での発熱量を低減し、ステッピングモータ１３の温度上昇を抑制することができる。この結果、浴室乾燥機１００は、ステッピングモータ１３での発熱に起因したステッピングモータ１３の内部のグリスおよび樹脂製のギアといった構成部の劣化を抑制でき、ステッピングモータ１３の長寿命化が可能である。また、浴室乾燥機１００は、換気運転時に電圧をステッピングモータ１３に印加しないため、ステッピングモータ１３の消費電力を削減することができる。
【００７７】
すなわち、浴室乾燥機１００は、ステッピングモータ１３への印加電圧を、ステッピングモータ１３の回転動作時と第２位置への保持時とに必要な、適切な電圧値に個別に設定することができ、消費電力の削減とステッピングモータ１３の長寿命化が実現できる。
【００７８】
図１４は、本発明の実施の形態１にかかる浴室乾燥機１００において経年劣化に対応してステッピングモータ１３に印加する印加電圧値の設定値の変更例を示す図である。経年劣化によるステッピングモータ１３のトルクの低下を見込んで、ステッピングモータ１３の使用期間に応じてステッピングモータ１３の駆動時および励磁時の印加電圧をステッピングモータ１３の使用開始の値から徐々に増加させて高い値に設定することが好ましい。例えば１０年後のステッピングモータ１３の経年劣化によるトルク低下を見込んで、ステッピングモータ１３の使用開始から使用期間が２年経過するごとに印加電圧の設定値を０．５Ｖずつ高く変更する。
【００７９】
ステッピングモータ１３の使用期間は、浴室乾燥機１００に最初に通電された時からのステッピングモータ１３への通電時間を積算したステッピングモータ１３の積算通電時間により判定できる。積算通電時間は、電源部３１からステッピングモータ１３への通電を検出する電圧計と、電圧計が浴室乾燥機１００への通電を検出している時間を計測可能な時間計測器とを組み合わせて構成できる。また、積算通電時間は、一般的な通電時間計測用タイマーでも計測できる。時間計測器は、マイクロコンピュータに内蔵されたタイマー機能またはタイマー装置といったものが使用される。なお、積算通電時間の計測方法は、上記の方法に限定されない。
【００８０】
積算通電時間に基づいて第１電圧値を高く設定することで、回転ダンパー３を回転動作させるために必要な励磁電圧を長期間にわたって維持することができ、ステッピングモータ１３の長寿命化が可能である。また、積算通電時間に基づいて第２電圧値を高く設定することで、回転ダンパー３を第２位置に保持するために必要なトルクを長期間にわたって維持することができ、ステッピングモータ１３の長寿命化が可能である。
【００８１】
また、浴室乾燥機１００は、経年劣化後も必要トルクが確保できるようにする目的として使用開始時のトルクの大きくコストの高いステッピングモータ１３を使用する必要がない。このため、浴室乾燥機１００は、安価なステッピングモータ１３を使用可能である。
【００８２】
したがって、本実施の形態１にかかる浴室乾燥機１００によれば、発熱を低減することで浴室乾燥機の長寿命化が可能な浴室乾燥機が得られる。
【００８３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８４】
１  本体ケース、１ａ  天板、１ｂ  フランジ、２  シロッコファン、３  回転ダンパー、４  ヒーター、５  排気ダクト接続部、５ａ  浴室外吹出口、６  フィルター、７  ファンモータ、８  浴室内循環吹出口、９  制御基板、１０  吸気口、１１  意匠パネル、１２  浴室内パネル循環吹出口、１３  ステッピングモータ、１４  ダンパー回転軸、１５  循環オリフィス、１６  換気接続口、１７  リレー部、２１  本体、２２  コントロールスイッチ、２３  通信線、３１  電源部、３２  第１制御部、３３  電圧設定部、３４  モータ駆動制御部、３５  第１記憶部、３６  第１通信部、４１  第２通信部、４２  操作部、４３  表示部、４４  第２記憶部、４５  第２制御部、５１  排気ダクト、５２  浴室、５３  天井面、５４  外部電源、５５  ブレーカ、５６  電源線、６１  循環風路、６２  換気風路、１００  浴室乾燥機、１０１  プロセッサ、１０２  メモリ。
【図１】
0006714161.tif 000002
【図２】
0006714161.tif 000003
【図３】
0006714161.tif 000004
【図４】
0006714161.tif 000005
【図５】
0006714161.tif 000006
【図６】
0006714161.tif 000007
【図７】
0006714161.tif 000008
【図８】
0006714161.tif 000009
【図９】
0006714161.tif 000010
【図１０】
0006714161.tif 000011
【図１１】
0006714161.tif 000012
【図１２】
0006714161.tif 000013
【図１３】
0006714161.tif 000014
【図１４】
0006714161.tif 000015